(57)【要約】【課題】ホルダーに設けられた切込みを簡単に見付けて確実に吊下げ部を使用することができる包装袋集合体を提供すること。【解決手段】前側フィルム１１ａおよび後側フィルム１１ｂの左右両端部と下端側とを閉塞し、前側フィルムの上部に挿入口１１１が設けられると共に、上端側の後側フィルム１１ｂに切離し用ミシン目１１ｃが設けられた包装袋１１を複数枚積層し、各包装袋１１の切離し用ミシン目１１ｃ上方の上縁部を固着して構成した包装袋集合体１であって、固着した包装袋集合体１の上部を前後から挟み保持するホルダー１２の少なくとも前側面１２ａに予め切込み１２１ａを入れておき、切込み１２１ａに囲まれた部分を起立させて吊下げ部１２１とする。【選択図】図２
0003176962.tif 000002
【実用新案登録請求の範囲】
【請求項１】
前側フィルムおよび後側フィルムの少なくとも左右両端部と下端側とを閉塞し、前側フィルムの上部に挿入口が設けられると共に、後側フィルムの上部に切離し用ミシン目が設けられたポリエチレン袋等の包装袋を複数枚積層して切離し用ミシン目より上方で固着することにより構成した包装袋集合体であって、
包装袋集合体の固着した上部を前後から挟み保持するホルダーを設けると共に、そのホルダーの少なくとも前側面に予め切込みを入れておき、切込みに囲まれた部分を起立させると吊下げ部となるように構成したことを特徴とする包装袋集合体。
【請求項２】
請求項１記載の包装袋集合体において、
さらに、その包装袋集合体の全体を覆う外袋を設け、
その外袋の前側面には、吊下げ部の幅以上の幅で、その外袋の前側面の上端部からホルダーの前側面の下端部より下方まで延びた取出し口用ミシン目が予め形成されており、使用時には取出し口用ミシン目に従って切込みを入れて外袋の前側面に取出し口を設け、外袋の前側面に設けた取出し口を介してホルダーから吊下げ部を起こして立ち上げると共に、その開口部から包装袋を取出して使用できるように構成したことを特徴とする包装袋集合体。
【請求項３】
請求項１または請求項２記載の包装袋集合体において、
複数枚積層される各包装袋の前側フィルムには、それぞれ、後側フィルムに予め設けられた切離し用ミシン目にほぼ対向して上下切り離されることにより挿入口が設けられると共に、その左右両端部においてその切離し用ミシン目より下方へ所定長だけ前側フィルムと後側フィルムとが分離しており、後側フィルムと所定長で分離している前側フィルムの挿入口縁部を下方へ折返すことにより、前側フィルムの挿入口に折返し部を設けたことを特徴とする包装袋集合体。
【考案の詳細な説明】
【技術分野】
【０００１】
本考案は、スーパーマーケットや市場、商店などにおいて吊下げて設置され、商品などを包装する包装袋を一枚ずつ簡単に分離して使用することができる包装袋集合体に関する。
【背景技術】
【０００２】
従来の包装袋集合体として、例えば、特許文献１，２に記載されたものが提案されている。この包装袋集合体では、前側フィルムおよび後側フィルムの少なくとも左右両端部と下端側とを閉塞し、前側フィルムの上部に挿入口が設けられると共に、後側フィルムの上部に切離し用ミシン目が設けられたポリエチレン袋等の包装袋を複数枚積層して切離し用ミシン目より上方で固着することにより包装袋集合体を構成し、その包装袋集合体の上部に吊下げ部（特許文献１，２では係止部１８ｂが相当する。）を設けている。
【先行技術文献】
【特許文献】
【０００３】
【特許文献１】特開２００８−４４１１７号公報
【特許文献２】特許第４７３９１４５号公報
【考案の概要】
【考案が解決しようとする課題】
【０００４】
しかし、前述の特許文献１,２に記載の従来の包装袋集合体では、吊下げ部は、包装袋集合体の固着した上端部を保持するホルダー（特許文献１，２では係止部材１８が相当する。）の後側面側に予め切込みを入れて吊下げ部を設けておき、使用時にはその後側面側に設けた切込みに囲まれた部分を起立させて吊下げ部として使用するようにしているため、ユーザによっては、ホルダーの後側面側に設けられた切込みに気付かず、折角設けられている吊下げ部を使用できないという問題があった。特に、包装袋集合体が入れられている外袋では、その前面側に商品名やその使用方法等が印刷されており、かつその前面側に中の包装袋の取出し口を設けるため、ホルダーの後側面側に設けた切込みに気付かないおそれがある。
【０００５】
また、その包装袋集合体の全体を覆う外袋を設けた場合、その外袋の前面側には包装袋を１枚ずつ取出すための取出し口を設ける必要があるものの、ホルダーの後側面側に設けられた吊下げ部を起こす際に、前面側の取出し口だけでは、使用勝手が悪く、その外袋の後面側にも開口部を設けることが想定される。しかし、包装袋集合体に包装袋が数百枚も積層され、比較的に手荒にしかも長期に亘って使用されることを考慮すると、外袋の後面側にも開口部を設けた場合、外袋の耐久性が弱くなり、外袋を長期に亘って使用できないという問題が生じる。
【０００６】
さらに、包装袋は、ポリエチレン製からなる白色半透明であるため、各包装袋の挿入口に目印も付けられていないため、各包装袋の挿入口を見付け難いという問題もある。特に、高齢者の場合、視力が弱く、指先等が乾燥しているため、各包装袋の挿入口を見付け難く、１枚ずつ包装袋を切り離せない場合がある。
【０００７】
そこで、本考案は、第１には、ホルダーに設けられた切込みを簡単に見付けて確実に吊下げ部を使用することができ、第２には、包装袋集合体の全体を覆う外袋の耐久性を向上させることができ、第３には、各包装袋の挿入口を見付け易い包装袋集合体を提供することを目的とする。
【課題を解決するための手段】
【０００８】
前記課題を解決するため、本考案に係る包装袋集合体は、前側フィルムおよび後側フィルムの少なくとも左右両端部と下端側とを閉塞し、前側フィルムの上部に挿入口が設けられると共に、後側フィルムの上部に切離し用ミシン目が設けられたポリエチレン袋等の包装袋を複数枚積層して切離し用ミシン目より上方で固着することにより構成した包装袋集合体であって、包装袋集合体の固着した上部を前後から挟み保持するホルダーを設けると共に、そのホルダーの少なくとも前側面に予め切込みを入れておき、切込みに囲まれた部分を起立させると吊下げ部となるように構成したことを特徴とする。
ここで、さらに、その包装袋集合体の全体を覆う外袋を設け、その外袋の前側面には、吊下げ部の幅以上の幅で、その外袋の前側面の上端部からホルダーの前側面の下端部より下方まで延びた取出し口用ミシン目が予め形成されており、使用時には取出し口用ミシン目に従って切込みを入れて外袋の前側面に取出し口を設け、外袋の前側面に設けた取出し口を介してホルダーから吊下げ部を起こして立ち上げると共に、その開口部から包装袋を取出して使用できるようにようにすると良い。
また、複数枚積層される各包装袋の前側フィルムには、それぞれ、後側フィルムに予め設けられた切離し用ミシン目にほぼ対向して上下切り離されることにより挿入口が設けられると共に、その左右両端部においてその切離し用ミシン目より下方へ所定長だけ前側フィルムと後側フィルムとが分離しており、後側フィルムと所定長で分離している前側フィルムの挿入口縁部を下方へ折返すことにより、前側フィルムの挿入口に折返し部が設けられるようにすると良い。
【考案の効果】
【０００９】
本考案の包装袋集合体では、包装袋集合体の固着した上部を前後から挟み保持するホルダーを設けると共に、そのホルダーの少なくとも前側面に予め切込みを入れておき、切込みに囲まれた部分を起立させて吊下げ部とするため、ホルダーに設けられた切込みを簡単に見付けて吊下げ部とすることができ、使い勝手が向上する。
【図面の簡単な説明】
【００１０】
【図１】本考案にかる包装袋集合体を外袋に入れる前の状態を示す斜視図である。
【図２】包装袋集合体を外袋に入れて使用している状態を示す斜視図である。
【図３】包装袋の平面図である。
【図４】包装袋の一部を切欠した斜視図である。
【図５】（ａ）〜（ｃ）、それぞれ、ホルダーの平面図、正面図、右側面拡大図である。
【図６】（ａ），（ｂ）、それぞれ、外袋の正面図、背面図である。
【考案を実施するための形態】
【００１１】
以下、本考案に係る包装袋集合体の実施の形態を、添付図面を参照しながら詳細に説明する。
【００１２】
図１は、本考案にかる包装袋集合体１を外袋２に入れる前の状態を示す斜視図、図２は、その包装袋集合体１を外袋２に入れて使用している状態を示す斜視図である。
【００１３】
本考案に係る包装袋集合体１は、前側フィルム１１ａおよび後側フィルム１１ｂの左右両端部と下端側とを閉塞し、前側フィルムの上部に挿入口が設けられると共に、上端側の後側フィルム１１ｂに切離し用ミシン目１１ｃが設けられたポリエチレン袋等の包装袋１１を、例えば、５００枚程度の複数枚積層し、その切離し用ミシン目１１ｃ上方の包装袋１１の上縁部を固着して構成されている。なお、包装袋１１の積層枚数は、任意であり、５００枚に限らず、１００枚でも、２００枚でも、７００枚でも、１０００枚でも良い。
【００１４】
そして、その包装袋集合体１における固着した上縁部には、図１に示すように合成樹脂製のホルダー１２が、その上縁部を挟んで保持するように構成されている。このホルダー１２には、その前側面１２ａと上側面１２ｂとに予め切込み１２１ａを入れておき、使用時には、図２に示すようにその切込み１２１ａに囲まれた部分を起立させて吊下げ部１２１として使用する。
【００１５】
また、この包装袋集合体１には、図１および図２に示すように包装袋集合体１の全体を覆う外袋２を設けている。このように外袋２の中に包装袋集合体１を入れるように構成すると、この包装袋集合体１を使用する前の保管時には、複数枚の包装袋１１が広がったり、傷付けたり、さらには汚すことなく保管できる。なお、外袋２は、その中に包装袋集合体１を収容した後は、外袋２の下端部は溶着などして閉塞すると、保管時に埃や塵などがその外袋２の中に入り込むことがなく衛生的である。ただし、外袋２を設けることや、外袋２の下端部を閉塞することは任意である。
【００１６】
また、この外袋２には、その前側フィルム２ａに、吊下げ時にホルダー１２から起こされる吊下げ部１２１の幅以上の幅で、その外袋２の前側フィルム２ａの上端部からホルダー１２の前側面１２ａの下端部より下方まで延びた取出し口用ミシン目２ａ１が予め形成されており、使用時には取出し口用ミシン目２ａ１に沿ってその取出し口用ミシン目２ａ１に囲まれた切取り部分２ａ２を切り取って取出し口２ａ３を設ける。すると、図２に示すように、この外袋２の取出し口２ａ３を介してホルダー１２に形成された切込み１２１ａに囲まれた部分を起立させて吊下げ部１２１として使用できると共に、その外袋２の取出し口２ａ３から複数枚積層した包装袋１を一枚ずつ取出して使用できる。
【００１７】
次に、この包装袋集合体１を構成する包装袋１１、ホルダー１２および外袋２について説明する。
【００１８】
図３は、包装袋１１の平面図、図４は包装袋１１の一部を切欠した斜視図である。
【００１９】
複数枚積層される包装袋１１は、１０μｍ程度の薄手のポリエチレン製の前側フィルム１１ａおよび後側フィルム１１ｂの左右両端部と上下左右両端部とを閉塞した状態で構成されており、前側フィルム１１ａおよび後側フィルム１１ｂの左右両端部は、熱溶着等により溶着されて閉塞されている一方、その上下左右両端部は折返しにより閉塞されている。これは、各包装袋１１は、長尺の袋状体の左右両端部を裁断して熱溶着して製造しているからであり、各包装袋１１の製造方法は、これに限らず、左右両端部を熱溶着し、上下左右両端部を折返したものなど任意である。
【００２０】
ここで、各包装袋１１のサイズは、例えば、幅（図上横方向の長さ）は約２３０ｍｍ、高さ（図上縦方向の長さ）は約３８０ｍｍとしている。なお、包装袋１１のサイズは一例であって、これ以外に、サイズ違いとして、それぞれ、幅約２６０ｍｍ、高さ約３８０ｍｍのものや、幅約２００ｍｍ、高さ約３００ｍｍのものもある。
【００２１】
そして、各包装袋１１は、図３および図４に示すように、切離し用ミシン目１１ｃより上方の上端部の７箇所の熱溶着部１１ｄにおいて他の包装袋１１に熱溶着されて固着されている。なお、各包装袋１１の上端部における固着方法は、この方法に限るものではない。また、この各包装袋１１の上端部には、２箇所、直径１０ｍｍほどの貫通孔１１ｅが設けられており、なお、貫通孔１１ｅの内縁部が積層された他の包装袋１１の貫通孔１１ｅの内縁部に熱溶着などされている。この貫通孔１１ｅは、吊下げ部１２１の代わりに使用可能なもので、本発明では、任意なもので、省略しても良い。
【００２２】
また、本実施形態の場合、複数枚積層される各包装袋１１の前側フィルム１１ａには、それぞれ、後側フィルム１１ｂに予め設けられた切離し用ミシン目１１cにほぼ対向して上下切り離されることにより、商品等を挿入するための挿入口１１１が設けられる。そして、前側フィルム１１ａと後側フィルム１１ｂの左右両端部において、その切離し用ミシン目１１ｃより下方へ所定長（例えば、１０ｍｍとする。）だけ前側フィルム１１ａと後側フィルム１１ｂとが熱溶着されてなく分離しており、後側フィルム１１ｂと所定長で分離している前側フィルム１１ａの挿入口１１１の縁部を下方へ折返すことにより、前側フィルム１１ａの挿入口１１１に折返し部１１ａ１を設けている。
【００２３】
図５（ａ）〜（ｃ）は、それぞれ、ホルダー１２の平面図、正面図、右側面拡大図である。
【００２４】
ホルダー１２は、ポリプロピレン等の合成樹脂からなるもので、その厚さは、例えば、０．７ｍｍ程度あり、包装袋１１を５００枚程度、積層した包装袋集合体１の上縁部を前後から挟み保持可能な強度を有している。ホルダー１２は、図５に示すように、前側面１２ａと、上側面１２ｂと、後側面１２ｃとから構成されている。ここで、前側面１２ａの高さは約３１ｍｍ、後側面１２ｃの高さは約４１ｍｍとして、後側面１２ｃの方を長くしている。なお、このホルダー１２の幅は、包装袋１１の幅に合わせて２３０ｍｍであり、包装袋１１のサイズ違いに合わせて、２６０ｍｍと２００ｍｍの幅のものも用意している。
【００２５】
そして、本実施形態では、ホルダー１２の前側面１２ａと上側面１２ｂとに予め切込み１２１ａを入れ、吊下げ孔１２１ｂを有する吊下げ部１２１を設けておく。ユーザは、この包装袋集合体１の使用時には、図２に示すように、その切込み１２１ａに囲まれた部分である吊下げ部１２１を起こして、壁に固定されたフック（図示せず）に吊下げ孔１２１ｂを通して使用する。なお、本発明では、ホルダー１２の前側面１２ａにのみ切込み１２１ａが入れられていれば十分であり、上側面１２ｂに切込み１２１ａを入れることは必須ではない。
【００２６】
なお、このホルダー１２にも、包装袋１の７箇所の熱溶着部１１ｄや２箇所の貫通孔１１ｅと同じ位置に、同様の熱溶着部１２ｄおよび貫通孔１２ｅが設けられており、積層された包装袋１１の熱溶着部１１ｄや貫通孔１１ｅに熱溶着などされて固着されている。そのため、ホルダー１２は包装袋集合体１に固着されて確実に保持することが可能となる。
【００２７】
図６（ａ），（ｂ）は、それぞれ、外袋２の正面図、背面図である。
【００２８】
外袋２は、この包装袋集合体１の全体を覆って、内側の包装袋集合体１に埃やゴミなどが付着することを防止するもので、必ず設ける必要があるものではなく、省略することもできる。
【００２９】
この外袋２の前側面２ａには、図６（ａ）に示すように、吊下げ時にホルダー１２から起こされる吊下げ部１２１の幅以上の幅で、その外袋２の前側面２ａの上端部からホルダー１２の前側面１２ａの下端部より下方まで延びた取出し口用ミシン目２ａ１が予め形成されている。なお、この外袋２の後側面２ｂにも、図６（ｂ）に示すように取出し口用ミシン目２ｂ１が形成されていても良いが、本考案では、外袋２の後側面２ｂには取出し口や開口部は不要なので、外袋２の後側面２ｂに形成された取出し口用ミシン目２ｂ１は使用しないので省略すると良い。また、ユーザに対し、外袋２の前側面２ａに予め形成した取出し口用ミシン目２ａ１にのみ切取りを促すように、外袋２の前側面２ａには、取出し口用ミシン目２ａ１の近傍に切取り線２ａ４を印刷すると良い。また、通常、外袋２の前側面２ａ側に商品名や使用方法等が印刷される。
【００３０】
なお、通常、中の包装袋１１は、ポリエチレン製からなる白色半透明であるため、外袋２は、中の包装袋１１と異なる色、例えば、赤やピンク、青等で製造すると、取出し口用ミシン目２ａ１に囲まれた部分を切取った後に形成される開口部である取出し口２ａ３を、ユーザは簡単に発見することが可能となり、使い勝手が向上する。
【００３１】
次に、この包装袋集合体１の使用方法について説明する。
【００３２】
この包装袋集合体１の使用時には、まず、外袋２の前側面２ａに予め形成された取出し口用ミシン目２ａ１に従って、その取出し口用ミシン目２ａ１に囲まれた切取り部分２ａ２を切り取って、外袋２の前側面２ａに取出し口２ａ３を設ける。その際、取出し口用ミシン目２ａ１に囲まれた部分２ａ２を外袋２から切り離しても良いし、左右両端部と下側のみ切込みを入れ、上側だけ残して取出し口用ミシン目２ａ１に囲まれた部分２ａ２を後側面２ｂ側に折返しても良い。
【００３３】
次に、外袋２の前側面２ａに設けた取出し口２ａ３を介してホルダー１２から吊下げ部１２１を後方に起こして立ち上げ、その吊下げ孔１２１ｂを壁に固定されたフック（図示せず）等に通して吊下げる。
【００３４】
すると、ユーザは、図２に示すように、外袋２の取出し口２ａ３から包装袋１１をその切離し用ミシン目１１ｃによって切り離して一枚ずつ取出して使用できる。
【００３５】
従って、この包装袋集合体１では、通常、外袋２の前側面２ａ側に商品名や使用方法等が印刷され、かつ、その前側面２ａ側に包装袋１１の取出し口２ａ３が設けられ、外袋２の前側面２ａ側を表にして使用されることを考慮すると、従来の特許文献１，２のものとは異なり、ホルダー１２の前側面１２ａと上側面１２ｂとに予め吊下げ部１２１用の切込み１２１ａが形成されているため、ユーザはホルダー１２に設けられた切込み１２１ａを簡単に見付けて起こすことにより、吊下げ部１２１を確実に使用することができる。
【００３６】
また、この包装袋集合体１では、吊下げ部１２１を使用する場合、ホルダー１２の後側面１２ｃではなく前側面１２ａと上側面１２ｂとに設けておいた切込み１２１ａに囲まれた部分を起こして使用するため、外袋２の前側面２ａに設けた取出し口２ａ３を介し吊下げ部１２１を起立させることが可能となり、外袋２の後側面２ｂに形成された取出し口用ミシン目２ｂ１は切らずに済む。そのため、この外袋２では、従来の特許文献１，２のものとは異なり、外袋２の後側面２ｂ側は切らずに済むので、外袋２の前面側２ａおよび後側面２ｂ側に開口部を設ける必要がある従来の特許文献１，２の場合と比較して、外袋２全体の強度が向上する。その結果、包装袋１１が数百枚も積層され、比較的に手荒にしかも長期に亘って使用されることを考慮すると、この包装袋集合体１では、外袋２を長期に亘って使用することが可能となり、中の包装袋集合体１も長期に亘って埃等で汚さずに衛生的に使用できる。
【００３７】
さらに、この包装袋集合体１では、各包装袋１１の前面フィルム１１ａの挿入口１１１に折返し部１１ａ１を設けているため、各包装袋１１の挿入口１１１を見付け易くなると共に、各包装袋１１を１枚ずつ掴み易くなり、各包装袋１１を１枚ずつ切り離し易いという効果がある。その結果、視力が弱く、指先等が乾燥している高齢者などであっても、包装袋１１の挿入口１１１を見付け易く、かつ、各包装袋１１を１枚ずつ掴み易くなり、包装袋１１を１枚ずつ切り離して取出すことが容易となる。
【符号の説明】
【００３８】
１  包装袋集合体
１１  包装袋
１１ａ  前側フィルム
１１ａ１  折返し部
１１ｂ  後側フィルム
１１ｃ  切離し用ミシン目
１１１  挿入口
１２  ホルダー
１２ａ  前側面
１２ｂ  上側面
１２ｃ  後側面
１２１  吊下げ部
１２１ａ  切込み
１２１ｂ  吊下げ孔
２  外袋
２ａ  前側面
２ａ１  取出し口用ミシン目
２ａ３  取出し口
２ｂ  後側面
【図１】
0003176962.tif 000003
【図２】
0003176962.tif 000004
【図３】
0003176962.tif 000005
【図４】
0003176962.tif 000006
【図５】
0003176962.tif 000007
【図６】
0003176962.tif 000008